(57)【要約】【課題】引戸開方向と解錠操作方向とを同方向とし、引戸を表裏方向に貫通せずに取り付けできる引戸用施錠装置及びその組付方法を提供する。【解決手段】引戸用施錠装置１１において、引戸の一方の面で枠装着開口として開口し戸先面で貫通穴として開口する収容空間と、枠装着開口に装着されるハンドル枠１５と、ハンドル枠１５に支持される軸１７と、建具部に固定され戸先面と平行な係止片部８３を有する受金具１９と、軸１７に揺動自在に取り付けられ揺動一端側に係止爪部８９を有するロック爪２１と、軸１７に外挿され順方向にロック爪２１を回転付勢する回転付勢バネ２３と、軸１７に回転自在に取り付けられロック爪２１の揺動他端側に当たる押圧部を有する操作レバー２５と、操作レバー２５に設けられハンドル枠１５に当たることで操作レバー２５の順方向への回転を規制してロック爪２１を回転規制するストッパ部と、を設けた。【選択図】  図２
2014148797.tif 000002
【特許請求の範囲】
【請求項１】
引戸の一方の面で枠装着開口として開口するとともに戸先面で貫通穴として開口する収容空間内の前記枠装着開口に装着されるハンドル枠と、
軸線が前記戸先面の延在方向に沿う方向で前記ハンドル枠に支持される軸と、
前記戸先面が対面する建具部に固定され前記戸先面と平行な係止片部を有する受金具と、
前記軸に揺動自在に取り付けられ揺動一端側に前記係止片部に係止する係止爪部を有するロック爪と、
前記軸に外挿され前記係止爪部が前記係止片部に係止する順方向に前記ロック爪を回転付勢する回転付勢バネと、
前記軸に回転自在に取り付けられ前記ロック爪の揺動他端側に当たる押圧部を有するとともに回転先端側に指掛け部を有する操作レバーと、
前記操作レバーに設けられ前記ハンドル枠に当たることで前記操作レバーの順方向への回転を規制するとともに前記押圧部を介して前記ロック爪を回転規制するストッパ部と、
を具備することを特徴とする引戸用施錠装置。
【請求項２】
請求項１記載の引戸用施錠装置であって、
前記操作レバーが、前記軸に対して着脱自在となって取り付けられていることを特徴とする引戸用施錠装置。
【請求項３】
請求項１記載の引戸用施錠装置の組付方法であって、
前記ハンドル枠に形成される軸支持穴に前記軸を挿通すると同時に前記ロック爪及び前記回転付勢バネを前記軸で貫通して支持し、
前記ロック爪を前記係止爪部が挿入方向先端側となる向きに順回転して前記ロック爪、前記軸、前記回転付勢バネを組み付けた前記ハンドル枠を前記枠装着開口に挿入開始し、
前記ハンドル枠の挿入途中で前記ロック爪を逆回転して前記貫通穴に挿通した後、前記ハンドル枠を前記枠装着開口に装着し、
前記押圧部を前記揺動他端側に対向させて前記操作レバーを前記軸に取り付けることを特徴とする引戸用施錠装置の組付方法。
【発明の詳細な説明】
【技術分野】
【０００１】
本発明は、引戸用施錠装置及び引戸用施錠装置の組付方法に関する。
【背景技術】
【０００２】
溝に沿ったり、戸道金物に釣られたりして横に開閉する引戸や折畳戸には、解錠操作方向を戸の開方向として操作性を良好としたものが知られている。例えば特許文献１に開示される折畳みドアの停止装置は、折畳ドアパネルの開閉端部に、ラッチ片と操作片とで略Ｌ軸型に構成されるラッチ体が水平方向首振自在に枢支されている。その際、ラッチ体の操作片が開閉端部の両側面間に貫通され、一方の側面部において枢着され、他方の側面部において長孔にスライド自在に挿通されている。ラッチ体のラッチ片と開閉端部の側面との間には、ラッチ片の先端をドア閉じ方向へ向いた状態に復帰静止させるバネ体が介在されている。また、ラッチ片の先端外側には係止段が形成され、操作片の先端は把手となされている。一方、折畳ドアパネルの開閉端部を受け納める溝型のカバー枠の側壁内側には、上記ラッチ片の係止段と着脱自在に係合する係止受段が形成されている。
【０００３】
この折畳みドアの停止装置によれば、折畳ドアを開ける際には、ラッチ体の操作片の把手部をドア開け方向へバネ体の弾性に抗して引っ張るだけで、ドアの開け操作と同時に自動的に、係止段と係止受段との係合が外れて開閉端部の固定が解除され、開閉端部をドア開け方向へほとんど抵抗なくスライドさせることができ、その反動もなく滑らかに容易に開けることができる。
【先行技術文献】
【特許文献】
【０００４】
【特許文献１】実開昭５４−１２３９９７号公報
【発明の概要】
【発明が解決しようとする課題】
【０００５】
しかしながら、上記した折畳みドアの停止装置（以下、「引戸用施錠装置」と称す）は、ラッチ体の操作片が開閉端部の両側面間に貫通され、一方の側面部において枢着され、他方の側面部において長孔にスライド自在に挿通されているため、召合を有する引き分け戸などには他方の側面部に突出するラッチ片が当たり、採用することができなかった。
【０００６】
本発明は上記状況に鑑みてなされたもので、その目的は、引戸開方向と解錠操作方向とを同方向としつつ、引戸を表裏方向に貫通せずに取り付けできる引戸用施錠装置及び引戸用施錠装置の組付方法を提供することにある。
【課題を解決するための手段】
【０００７】
次に、上記の課題を解決するための手段を、実施の形態に対応する図面を参照して説明する。
本発明の請求項１記載の引戸用施錠装置１１は、引戸２９の一方の面３３で枠装着開口３５として開口するとともに戸先面３７で貫通穴３９として開口する収容空間１３内の前記枠装着開口３５に装着されるハンドル枠１５と、
軸線が前記戸先面３７の延在方向に沿う方向で前記ハンドル枠１５に支持される軸１７と、
前記戸先面３７が対面する建具部８１に固定され前記戸先面３７と平行な係止片部８３を有する受金具１９と、
前記軸１７に揺動自在に取り付けられ揺動一端側に前記係止片部８３に係止する係止爪部８９を有するロック爪２１と、
前記軸１７に外挿され前記係止爪部８９が前記係止片部８３に係止する順方向に前記ロック爪２１を回転付勢する回転付勢バネ２３と、
前記軸１７に回転自在に取り付けられ前記ロック爪２１の揺動他端側に当たる押圧部９９を有するとともに回転先端側に指掛け部９７を有する操作レバー２５と、
前記操作レバー２５に設けられ前記ハンドル枠１５に当たることで前記操作レバー２５の順方向への回転を規制するとともに前記押圧部９９を介して前記ロック爪２１を回転規制するストッパ部２７と、
を具備することを特徴とする。
【０００８】
この引戸用施錠装置１１では、引戸２９の開放状態において、ロック爪２１は、回転付勢バネ２３の付勢力によって順方向に付勢され、ロック爪２１の揺動他端側が操作レバー２５の押圧部９９に当接することで回転規制されている。つまり、ロック爪２１は、押圧部９９に回転規制されることで、回転付勢バネ２３に付勢された状態で、順方向回転端側に配置される。引戸２９が閉められると、係止爪部８９が係止片部８３に当たり、さらに引戸２９が閉められることで係止爪部８９が係止片部８３に乗り上げ、ロック爪２１が回転付勢バネ２３に抗して逆回転する。ロック爪２１の揺動他端側は、押圧部９９から離反する。引戸２９の閉鎖と同時に、係止爪部８９が係止片部８３を乗り越えると、ロック爪２１は、回転付勢バネ２３の付勢力によって順回転して係止片部８３に係止し、引戸２９を建具部８１に施錠する。この状態で揺動他端側は、再び押圧部９９に当接する。一方、施錠状態において、解錠操作によって操作レバー２５が逆回転されると、操作レバー２５の押圧部９９がロック爪２１の揺動他端側を押圧する。揺動他端側が押圧されたロック爪２１は、回転付勢バネ２３に抗して逆回転され、係止爪部８９が係止片部８３から係止解除される。この際、操作レバー２５は、逆回転されることによって、引戸２９の一方の面３３において軸１７を中心とした円弧状の軌跡を描いて戸先側から戸尻側へ向かう方向へ移動する。すなわち、引戸開方向と解錠方向が同方向となって操作性が良好となる。
また、引戸２９は、一方の面３３に開口する枠装着開口３５と、戸先面３７に開口する貫通穴３９とに繋がる収容空間１３を備える。ロック爪２１を備えたハンドル枠１５は、収容空間１３に挿入されながら、ロック爪２１を貫通穴３９に挿通して枠装着開口３５に装着される。このため、引戸２９の他方の面４１には開口を形成する必要がない。
【０００９】
本発明の請求項２記載の引戸用施錠装置１１は、請求項１記載の引戸用施錠装置１１であって、
前記操作レバー２５が、前記軸１７に対して着脱自在となって取り付けられていることを特徴とする。
【００１０】
この引戸用施錠装置１１では、操作レバー２５にＣ字状の切欠部９５を有した一対の取付腕６３が突設され、取付腕６３が合成樹脂材料等により成形されることで、切欠部９５が可撓性を有している。これにより、操作レバー２５は、切欠部９５を軸１７に一致させ、取付腕６３が軸線に直交する方向から押圧されることで、切欠部９５を弾性変形により拡開させて軸１７に回転自在に且つ着脱自在に固定される。
【００１１】
本発明の請求項３記載の引戸用施錠装置１１の組付方法は、請求項１記載の引戸用施錠装置１１の組付方法であって、
前記ハンドル枠１５に形成される軸支持穴７５に前記軸１７を挿通すると同時に前記ロック爪２１及び前記回転付勢バネ２３を前記軸１７で貫通して支持し、
前記ロック爪２１を前記係止爪部８９が挿入方向先端側となる向きに順回転して前記ロック爪２１、前記軸１７、前記回転付勢バネ２３を組み付けた前記ハンドル枠１５を前記枠装着開口３５に挿入開始し、
前記ハンドル枠１５の挿入途中で前記ロック爪２１を逆回転して前記貫通穴３９に挿通した後、前記ハンドル枠１５を前記枠装着開口３５に装着し、
前記押圧部９９を前記揺動他端側に対向させて前記操作レバー２５を前記軸１７に取り付けることを特徴とする。
【００１２】
この引戸用施錠装置１１の組付方法では、ロック爪２１、軸１７、回転付勢バネ２３を組み付けたハンドル枠１５を枠装着開口３５に取り付ける際、ロック爪２１は、係止爪部８９が挿入方向先端側となる向きに順回転される。これにより、引戸２９の一方の面３３に設けた枠装着開口３５のみを用いて、ロック爪２１を貫通穴３９に通して、ハンドル枠１５を枠装着開口３５に組み付けできる。ロック爪２１は、長手方向の寸法が、長手方向に直交する幅方向の寸法よりも大きい。ロック爪２１が長手方向を挿入方向に沿う方向にして挿入されることで、枠装着開口３５は、ロック爪２１の長手方向の寸法を確保する必要のない小さな開口を利用した組み付けが可能となる。
【発明の効果】
【００１３】
本発明に係る請求項１記載の引戸用施錠装置によれば、引戸開方向と解錠操作方向とを同方向としつつ、引戸を表裏方向に貫通せずに取り付けできる。
【００１４】
本発明に係る請求項２記載の引戸用施錠装置によれば、操作レバーを、引戸やハンドル枠に合わせて異なる色やデザインのものに交換できる。
【００１５】
本発明に係る請求項３記載の引戸用施錠装置の組付方法によれば、戸先面から突出するロック爪の設けられた引戸用施錠装置を、引戸の一方の面に開口させた一つの開口のみから容易に組み付けることができる。
【図面の簡単な説明】
【００１６】
【図１】本発明に係る引戸用施錠装置を備える引戸と建具部の斜視図である。
【図２】図１に示した引戸用施錠装置の分解斜視図である。
【図３】図１に示した引戸用施錠装置の平断面図である。
【図４】ハンドル枠に軸を取り付ける手順説明図である。
【図５】ハンドル枠を引戸に取り付ける手順説明図である。
【図６】ロック爪の貫通過程の手順説明図である。
【図７】（ａ）はハンドル枠の上側挿入状態の手順説明図、（ｂ）は下側を係止して引戸にハンドル枠を取り付ける手順説明図である。
【図８】操作レバーを軸に取り付ける手順説明図である。
【図９】図８の要部平断面図である。
【図１０】操作レバーを軸に組み付けた状態の手順説明図である。
【図１１】引戸閉動作時の要部平断面図である。
【図１２】ロック爪が係止直前の要部平断面図である。
【図１３】解錠・開動作時の要部平断面図である。
【図１４】解錠後・開動作時の要部平断面図である。
【発明を実施するための形態】
【００１７】
以下、本発明に係る実施形態を図面を参照して説明する。
図１は本発明に係る引戸用施錠装置を備える引戸と建具部の斜視図、図２は図１に示した引戸用施錠装置の分解斜視図、図３は図１に示した引戸用施錠装置の平断面図である。
本実施形態に係る引戸用施錠装置１１は、収容空間１３と、ハンドル枠１５と、軸１７と、受金具１９と、ロック爪２１と、回転付勢バネ２３と、操作レバー２５と、ストッパ部２７と、を主要な構成として有している。
【００１８】
収容空間１３は、引戸２９の縦枠３１の上下方向略中央部に形成される。収容空間１３は、引戸２９の一方の面３３で枠装着開口３５として開口するとともに、戸先面３７で貫通穴３９として開口する。つまり、収容空間１３は、引戸２９の他方の面４１には開口を必要としていない。このため、引戸用施錠装置１１を備える引戸２９は、他方の面４１を引き違いや召合に支障のない平坦な面とすることができる。縦枠３１は、枠装着開口３５の戸先側の内面が、引戸閉時の閉時指掛け部４３となっている。
【００１９】
ハンドル枠１５は、枠装着開口３５に装着される。ハンドル枠１５は、例えば合成樹脂材を素材として一体成形してなり、短冊状の化粧表面板４５の両側から一対の平行な側板部４７が背面側に向けて突設される。側板部４７の上下端側には枠装着開口３５に係止する取付凹部４９と、取付爪５１（図７参照）とが形成される。また、側板部４７の下端側には取付爪５１を挟んで左右に枠装着開口３５に当たる荷重受片５３が設けられ、荷重受片５３はハンドル枠１５の荷重が取付爪５１に加わらないようにしている。
【００２０】
化粧表面板４５の上下方向中央には上下に延在する突出縁部５５が突設され、突出縁部５５は操作レバー２５を解錠操作した際の座部となる。突出縁部５５の戸先側には上下一対のガイド長孔５７が穿設され、ガイド長孔５７は操作レバー２５の後述するガイド軸５９を挿入する。上下のガイド長孔５７の間には取付腕挿入開口６１が形成され、取付腕挿入開口６１は操作レバー２５の後述する取付腕６３を挿入する。取付腕挿入開口６１の奧にはロック爪収容凹部６５が形成され、ロック爪収容凹部６５は戸先側の一方の側板部４７と凹部底壁６７とで爪逃げ部６９となって開口する。ロック爪収容凹部６５の凹部下壁７１及び凹部上壁７３（図４参照）には軸支持穴７５が穿設され、軸支持穴７５は軸１７を上下方向に貫通して支持する。
【００２１】
軸１７は、上部に鍔部７７が形成され、軸支持穴７５に上方から挿通される。凹部下壁７１の軸支持穴７５を貫通した軸１７にはＥリング７９が装着されて上方向への抜けが規制される。つまり、軸１７は、軸線が戸先面３７の延在方向に沿う方向でハンドル枠１５に支持される。ロック爪収容凹部６５に挿通される軸１７は、ロック爪収容凹部６５に配置される回転付勢バネ２３と、ロック爪２１とを貫通して支持することになる。
【００２２】
受金具１９は、戸先面３７が対面する建具部８１に固定される。建具部８１としては、建物側の枠や躯体の枠、サッシ枠、別の引戸２９の縦枠３１等が挙げられる。受金具１９は、戸先面３７と平行な係止片部８３を有する。図例では建具部８１から突出する固定片８５に、固定ビス８７によってＬ字状の受金具１９が固定されている。
【００２３】
ロック爪２１は、軸１７に揺動自在に取り付けられ、揺動一端側に受金具１９の係止片部８３に係止する係止爪部８９を有する。ロック爪２１は、軸１７を回転中心に揺動することで、爪逃げ部６９に配置され、ハンドル枠１５の装着方向である引戸２９の厚み方向に回転配置可能となっている（図５参照）。また、ロック爪２１は、ハンドル枠１５の装着方向となった回転位置から略９０度回転されることで、縦枠３１の貫通穴３９に挿通可能となっている。
【００２４】
回転付勢バネ２３は、軸１７に外挿され、一端側がハンドル枠１５のバネ受け９１に係止し、他端がロック爪２１の揺動他端側に係止する。ハンドル枠１５とロック爪２１との間に渡って設けられた回転付勢バネ２３は、係止爪部８９が受金具１９の係止片部８３に係止する順方向（図５の反時計回り）にロック爪２１を回転付勢する。
【００２５】
操作レバー２５は、レバー本体９３が上下に長い短冊状となり、引戸２９の一方の面３３と略平行となる。レバー本体９３の裏面側に奥拡がりなＣ字状の切欠部９５を有した上下一対の取付腕６３が突設され、取付腕６３は例えば合成樹脂材料等を素材として成形されていることで、切欠部９５が可撓性を有している。これにより、操作レバー２５は、軸１７に対して着脱自在且つ回転自在となって取り付けられる。レバー本体９３には一対の取付腕６３を挟んで上下に一対のガイド軸５９が突設される。このガイド軸５９は、上記したハンドル枠１５のガイド長孔５７に挿入されることで、操作レバー２５の揺動をガイドする。レバー本体９３の表面側には指掛け部９７が突設され、指掛け部９７は解錠操作の回転移動により突出縁部５５に当たる。レバー本体９３の一対の取付腕６３の間には押圧部９９が突設され、押圧部９９はロック爪２１の揺動他端側に当たる。
【００２６】
また、レバー本体９３の指掛け部９７と反対側のレバー先端側にはストッパ部２７が形成され、ストッパ部２７はハンドル枠１５に当たることで操作レバー２５の順方向への回転を規制する。順回転が規制された操作レバー２５は、押圧部９９でロック爪２１の揺動他端側を支持する。ロック爪２１は、揺動他端側が押圧部９９に当たって順回転が規制される。つまり、ストッパ部２７によって回転規制された操作レバー２５は、押圧部９９を介してロック爪２１を回転規制する。
【００２７】
次に、上記構成を有する引戸用施錠装置１１の組付方法を説明する。
図４はハンドル枠１５に軸１７を取り付ける手順説明図、図５はハンドル枠１５を引戸２９に取り付ける手順説明図、図６はロック爪２１の貫通過程の手順説明図、図７（ａ）はハンドル枠１５の上側挿入状態の手順説明図、（ｂ）は下側を係止して引戸２９にハンドル枠１５を取り付ける手順説明図、図８は操作レバー２５を軸１７に取り付ける手順説明図、図９は図８の要部平断面図、図１０は操作レバー２５を軸１７に組み付けた状態の手順説明図である。
引戸用施錠装置１１を引戸２９に組み付けるには、先ず、図４に示すように、ロック爪２１と回転付勢バネ２３とを、ハンドル枠１５に組み付ける。ハンドル枠１５のロック爪収容凹部６５に、ロック爪２１、回転付勢バネ２３を挿入した後、上方から軸１７を挿入して貫通させる。軸１７の貫通先端側にはＥリング７９を装着する。
【００２８】
次に、図５に示すように、ロック爪２１を奥方向に揺動させて倒し、ハンドル枠１５とともに、縦枠３１の正面から枠装着開口３５へ挿入する。図６に示すように、挿入の過程でロック爪２１を徐々に起こし、爪逃げ部６９と縦枠３１の戸先面３７の貫通穴３９より爪先端側を突出させる。
【００２９】
次に、図７（ａ）に示すように、ハンドル枠１５の上端の取付凹部４９を枠装着開口３５の上縁側に引っ掛け、図７（ｂ）に示すように、ハンドル枠１５の下端の取付爪５１を、枠装着開口３５の下縁側に掛け、ハンドル枠１５を縦枠３１に係着する。この際、ハンドル枠１５の下端は、取付爪５１よりも下方に突出する荷重受片５３によって、枠装着開口３５の下縁に載る。つまり、取付爪５１は、ハンドル枠１５の荷重を受けず、揺動自在となる。
【００３０】
次に、図８、図９に示すように、操作レバー２５の上下一対の取付腕６３を、ロック爪２１の上下で軸１７に装着する。同時に操作レバー裏面のガイド軸５９をハンドル枠１５のガイド長孔５７に挿入する。軸１７に取り付けられた操作レバー２５は、押圧部９９が、ロック爪２１の揺動他端側に対向配置される。また、受金具１９は、固定ビス８７によって固定片８５に固定される。なお、受金具１９は、建具部８１と一体に形成されていてもよい。
【００３１】
このように、引戸用施錠装置１１の組付方法では、ハンドル枠１５に形成される軸支持穴７５に軸１７を挿通すると同時にロック爪２１及び回転付勢バネ２３を軸１７で貫通して支持し、ロック爪２１を係止爪部８９が挿入方向先端側となる向きに順回転してロック爪２１、軸１７、回転付勢バネ２３を組み付けたハンドル枠１５を枠装着開口３５に挿入開始する。ハンドル枠１５の挿入途中でロック爪２１を図１０に示す位置に逆回転して貫通穴３９に挿通した後、ハンドル枠１５を枠装着開口３５に装着し、押圧部９９を揺動他端側に対向させて操作レバー２５を軸１７に取り付け、引戸用施錠装置１１の引戸２９への組み付けを完了する。
【００３２】
次に、上記構成を有する引戸用施錠装置１１の作用を説明する。
図１１は引戸閉動作時の要部平断面図、図１２はロック爪２１が係止直前の要部平断面図、図１３は解錠・開動作時の要部平断面図、図１４は解錠後・開動作時の要部平断面図である。
引戸用施錠装置１１では、図１１に示した引戸２９の開放状態において、ロック爪２１は、回転付勢バネ２３の付勢力によって順方向に付勢され、ロック爪２１の揺動他端側が操作レバー２５の押圧部９９に当接することで回転規制されている。つまり、ロック爪２１は、押圧部９９に回転規制されることで、回転付勢バネ２３に付勢された状態で、順方向回転端側に配置されている。
【００３３】
図１２に示すように、引戸２９が閉められると、係止爪部８９が係止片部８３に当たり、さらに引戸２９が閉められることで係止爪部８９が係止片部８３に乗り上げ、ロック爪２１が回転付勢バネ２３に抗して逆回転する。ロック爪２１の揺動他端側は、押圧部９９から離反する。引戸２９の閉鎖と同時に、係止爪部８９が係止片部８３を乗り越えると、ロック爪２１は、回転付勢バネ２３の付勢力によって順回転して係止片部８３に係止し、引戸２９を建具部８１に施錠する。この状態で揺動他端側は、再び押圧部９９に当接する。
【００３４】
一方、施錠状態において、図１３に示すように、解錠操作によって操作レバー２５が逆回転されると、操作レバー２５の押圧部９９がロック爪２１の揺動他端側を押圧する。揺動他端側が押圧されたロック爪２１は、回転付勢バネ２３に抗して逆回転され、係止爪部８９が係止片部８３から係止解除される。この際、操作レバー２５は、逆回転されることによって、引戸２９の一方の面３３において軸１７を中心とした円弧状の軌跡を描いて戸先側から戸尻側へ向かう方向ａへ移動する。すなわち、図１４に示すように、引戸開方向ｂと解錠方向が同方向となって操作性が良好となる。
【００３５】
そして、引戸２９は、一方の面３３に開口する枠装着開口３５と、戸先面３７に開口する貫通穴３９とに繋がる収容空間１３を備える。ロック爪２１を備えたハンドル枠１５は、収容空間１３に挿入されながら、ロック爪２１を貫通穴３９に挿通して枠装着開口３５に装着される。このため、引戸２９の他方の面４１には開口を形成する必要がない。また、他方の面４１に開口部分が無いことから、引戸２９は表裏面で貫通する穴部が無い構成となり、防犯性も得ることができる。
【００３６】
また、引戸用施錠装置１１では、図１０に示すように、操作レバー２５にＣ字状の切欠部９５を有した一対の取付腕６３が突設され、取付腕６３が合成樹脂材料等により成形されることで、切欠部９５が可撓性を有している。これにより、操作レバー２５は、切欠部９５を軸１７に一致させ、取付腕６３が軸線に直交する方向から押圧されることで、切欠部９５を弾性変形により拡開させて軸１７に回転自在に且つ着脱自在に固定される。このように、操作レバー２５は、異なる色やデザインとした複数種類のものを揃えておくことで、引戸２９等に色やデザインを合わせて交換可能となる。
【００３７】
次に、上記した引戸用施錠装置１１の組付方法の作用を説明する。
引戸用施錠装置１１の組付方法では、ロック爪２１、軸１７、回転付勢バネ２３を組み付けたハンドル枠１５を枠装着開口３５に取り付ける際、ロック爪２１は、係止爪部８９が挿入方向先端側となる向きに順回転される（図５参照）。これにより、引戸２９の一方の面３３に設けた枠装着開口３５のみを用いて、ロック爪２１を貫通穴３９に通して、ハンドル枠１５を枠装着開口３５に組み付けできる。ロック爪２１は、長手方向の寸法が、長手方向に直交する幅方向の寸法よりも大きい。ロック爪２１が長手方向を挿入方向に沿う方向にして挿入されることで、枠装着開口３５は、ロック爪２１の長手方向の寸法を確保する必要のない小さな開口を利用した組み付けが可能となる。ここで、小さな開口とは、「ロック爪２１の長手方向と同寸法の幅を有することのない小さな開口」の意である。
【００３８】
従って、本実施形態に係る引戸用施錠装置１１によれば、引戸開方向と解錠操作方向とを同方向としつつ、引戸２９を表裏方向に貫通せずに取り付けできる。
【００３９】
また、引戸用施錠装置１１の組付方法によれば、戸先面３７から突出するロック爪２１の設けられた引戸用施錠装置１１を、引戸２９の一方の面３３に開口させた一つの開口のみから容易に組み付けることができる。
【符号の説明】
【００４０】
１１…引戸用施錠装置
１３…収容空間
１５…ハンドル枠
１７…軸
１９…受金具
２１…ロック爪
２３…回転付勢バネ
２５…操作レバー
２７…ストッパ部
２９…引戸
３３…一方の面
３５…枠装着開口
３７…戸先面
３９…貫通穴
７５…軸支持穴
８１…建具部
８３…係止片部
８９…係止爪部
９７…指掛け部
９９…押圧部
【図１】
2014148797.tif 000003
【図２】
2014148797.tif 000004
【図３】
2014148797.tif 000005
【図４】
2014148797.tif 000006
【図５】
2014148797.tif 000007
【図６】
2014148797.tif 000008
【図７】
2014148797.tif 000009
【図８】
2014148797.tif 000010
【図９】
2014148797.tif 000011
【図１０】
2014148797.tif 000012
【図１１】
2014148797.tif 000013
【図１２】
2014148797.tif 000014
【図１３】
2014148797.tif 000015
【図１４】
2014148797.tif 000016